(57)【要約】【課題】ユーザの個別のイベント日付に応じたパーソナライズされたカレンダーを低いコストで簡単に提供する。【解決手段】申込端末３とはＩＰ網２を介して接続されるカレンダー作成サーバ装置１であって、標準カレンダー情報記憶部１２に記憶された標準カレンダー情報、及び画像データ受付部１３が受け付けた画像データ、ならびに個別仕様受付部１４が受け付けたイベント日付情報に基づいてカレンダー画像（ＰＤＦ）を生成するカレンダー画像生成部１６と、カレンダー画像を申込端末３に対して提示すると共に、申込端末３から承認の回答が得られた場合には、カレンダー画像に対応したカレンダー印刷用データを生成し出力する印刷用データ生成部１７とを具備することを特徴とする。【選択図】　　　図１
2004062773.tif 000002
【特許請求の範囲】
【請求項１】
日付と曜日と祝日に関する標準的なカレンダー情報を保持するカレンダー情報記憶手段と、
個別のイベント日付に関するイベント日付情報を申込端末から受け付ける個別仕様受け付け手段と、
カレンダー作成に要する画像データを受け付ける画像データ受付手段と、
前記標準カレンダー情報記憶手段に記憶された前記カレンダー情報、及び前記画像データ受付手段が受け付けた画像データ、ならびに前記個別仕様受付手段が受け付けたイベント日付情報に基づいてカレンダー画像を生成するカレンダー画像生成手段と、
前記カレンダー画像を前記申込端末に対して提示すると共に、前記申込端末から承認の回答が得られた場合には、前記カレンダー画像に対応したカレンダー印刷用データを生成し出力する印刷用データ生成手段と
を具備することを特徴とするカレンダー作成サーバ装置。
【請求項２】
前記個別仕様受付手段が受け付けた前記イベント日付情報を記憶しておく個別仕様記憶手段を具備し、
前記カレンダー画像生成手段は、現在の申込者のイベント日付情報が既に前記個別仕様記憶手段に記憶されている場合には、前記個別仕様記憶手段から前記イベント日付情報を読み出して、このイベント日付情報に基づいて前記カレンダー画像を生成する
ことを特徴とする請求項１に記載のカレンダー作成サーバ装置。
【請求項３】
カレンダー作成を申し込む申込端末が通信媒体を介して接続されたカレンダー作成サーバ装置のためのカレンダー作成方法であって、
個別のイベント日付に関するイベント日付情報を前記申込端末から受け付ける工程と、
カレンダー作成に要する画像データを受け付ける工程と、
あらかじめ記憶された日付と曜日と祝日に関する標準的なカレンダー情報、及び前記受け付けた画像データ、ならびに前記受け付けたイベント日付情報に基づいてカレンダー画像を生成する工程と、
前記カレンダー画像を前記申込端末に対して提示すると共に、前記申込端末から承認の回答が得られた場合には、前記カレンダー画像に対応したカレンダー印刷用データを生成し出力する工程と、
を具備することを特徴とするカレンダー作成方法。
【請求項４】
前記カレンダー画像を生成する工程は、
現在の申込者のイベント日付情報が受け付けられ、既に記憶されている場合には、当該イベント日付情報を読み出して、このイベント日付情報に基づいて前記カレンダー画像を生成すること、
を特徴とする請求項３に記載のカレンダー作成方法。
【発明の詳細な説明】
【０００１】
【発明の属する技術分野】
本発明は、申込者毎の個別のイベント日付に応じてパーソナライズされたカレンダーを提供する、カレンダー作成サーバ装置及びその方法に関する。
【０００２】
【従来の技術】
通常、カレンダーには、毎年必ず来る自分や家族の誕生日、結婚記念日やその他、個々人に特有の記念日等があらかじめ印刷されていないため、仕事が忙しかったりすれば忘れてしまうことが多々あった。そのために、市販のカレンダーに手で書き込むことが頻繁に行われている。
一方、従来からウェブを利用してパーソナルカレンダーを作成する方法が知られている。ここで作成されるカレンダーには、ユーザ自身のイベントや好きな画像を直接差し込み挿入できるため、ある程度ユーザのイメージに沿ったカレンダーを作成することができ、重宝されている。
【０００３】
【発明が解決しようとする課題】
しかしながら、上記したウェブを利用したカレンダーの作成は、決められたイベントや画像を選択するだけの機能しか持ち合わせておらず、好きな画像をアップロードできたとしても、あらかじめ決められた大きさの中での表示しか実現されていない。また、イベントの入力に関しても、決められたイベントの中から日付の指定しかできないのが現状であった。
【０００４】
更に、日付の区切り方についても日（月）曜日が左端から始まる１週間の概念にとらわれた固定した表示しかできず、日付やイベント内容についてのフォントや色についても固定であった。また、カレンダー完成時のイメージ確認はできず、紙質についてもデザインにより決められているもののみであり、紙質にこだわることができなかった。料金確認についても部数とデザインによって決められた料金体系であって、紙質などの選択まで反映されておらず、ユーザの要求に沿ってパーソナルなカレンダーを印刷、製造してサービスを行うまでには至っていなかった。
【０００５】
本発明は上記事情に鑑みてなされたものであり、ユーザの個別のイベント日付に応じてパーソナライズされたカレンダーを低いコストで簡単に提供することのできる、カレンダー作成サーバ装置及びその方法を提供することを目的とする。また、ユーザが入力したいイベント情報や画像を、ウェブを用いて自由に入力し、あるいはアップロードすることを制約なく可能にした、カレンダー作成サーバ装置及びその方法を提供することも目的とする。
【０００６】
【課題を解決するための手段】
上記した課題を解決するために本発明のカレンダー作成サーバ装置は、日付と曜日と祝日に関する標準的なカレンダー情報を保持するカレンダー情報記憶手段と、個別のイベント日付に関するイベント日付情報を申込端末から受け付ける個別仕様受け付け手段と、カレンダー作成に要する画像データを受け付ける画像データ受付手段と、前記標準カレンダー情報記憶手段に記憶された前記カレンダー情報、及び前記画像データ受付手段が受け付けた画像データ、ならびに前記個別仕様受付手段が受け付けたイベント日付情報に基づいてカレンダー画像を生成するカレンダー画像生成手段と、前記カレンダー画像を前記申込端末に対して提示すると共に、前記申込端末から承認の回答が得られた場合には、前記カレンダー画像に対応したカレンダー印刷用データを生成し出力する印刷用データ生成手段とを具備することを特徴とする。
【０００７】
また、本発明において、前記個別仕様受付手段が受け付けた前記イベント日付情報を記憶しておく個別仕様記憶手段を具備し、前記カレンダー画像生成手段は、現在の申込者のイベント日付情報が既に前記個別仕様記憶手段に記憶されている場合には、前記個別仕様記憶手段から前記イベント日付情報を読み出して、このイベント日付情報に基づいて前記カレンダー画像を生成することを特徴とする。
【０００８】
上記した課題を解決するために本発明は、カレンダー作成を申し込む申込端末が通信媒体を介して接続されたカレンダー作成サーバ装置のためのカレンダー作成方法であって、個別のイベント日付に関するイベント日付情報を前記申込端末から受け付ける工程と、カレンダー作成に要する画像データを受け付ける工程と、あらかじめ記憶された日付と曜日と祝日に関する標準的なカレンダー情報、及び前記受け付けた画像データ、ならびに前記受け付けたイベント日付情報に基づいてカレンダー画像を生成する工程と、前記カレンダー画像を前記申込端末に対して提示すると共に、前記申込端末から承認の回答が得られた場合には、前記カレンダー画像に対応したカレンダー印刷用データを生成し出力する工程と、を具備することを特徴とする。
【０００９】
また、本発明において、前記カレンダー画像を生成する工程は、現在の申込者のイベント日付情報が受け付けられ、既に記憶されている場合には、当該イベント日付情報を読み出して、このイベント日付情報に基づいて前記カレンダー画像を生成すること、を特徴とする。
【００１０】
【発明の実施の形態】
図１は、本発明のカレンター作成サーバ装置の実施形態を示すブロック図である。
本発明のカレンター作成サーバ装置１は、ＩＰ（Ｉｎｔｅｒｎｅｔ・Ｐｒｏｔｏｃｏｌ）網２を介してユーザが操作する申込端末３と接続されており、通信インターフェース部１１と、標準カレンダー情報記憶部１２と、画像データ受付部１３と、個別仕様受付部１４と、個別仕様記憶部１５と、カレンダー画像生成部１６と、印刷用データ生成部１７と、画像／仕様確定データベース（ＤＢ）１８で構成される。
【００１１】
通信インターフェース部１１は、ここではＩＰ網２と接続されるためＴＣＰ／ＩＰ（Ｔｒａｎｓｐｏｒｔ・Ｃｏｎｔｒｏｌ・Ｐｒｏｔｏｃｏｌ／Ｉｎｔｅｒｎｅｔ・Ｐｒｏｔｏｃｏｌ）が実装され、ユーザが操作する申込端末３とカレンダー作成サーバ装置１とのインターフェースを司る。標準カレンダー情報記憶部１２は、日付と曜日と祝日に関する標準的なカレンダー情報を保持する機能を持ち、画像データ受付部１３は、カレンダー作成に要する画像データを受け付ける機能を持つ。
個別仕様受付部１４は、個別のイベント日付に関するイベント日付情報を申込端末３から受け付ける機能を持ち、ここで受け付けられた個別仕様は、個別仕様記憶部１５に保存される。
【００１２】
カレンダー画像生成部１６は、標準カレンダー情報記憶部１２に記憶されたカレンダー情報、及び画像データ受付部１３が受け付けた画像データ、ならびに個別仕様受付部１４が受け付けたイベント日付情報に基づいてカレンダー画像を生成する機能を持つ。また、印刷用データ生成部１７は、カレンダー画像生成部１６により生成されたカレンダー画像を申込端末３に対して提示すると共に、申込端末３から承認の回答が得られた場合には、そのカレンダー画像に対応したカレンダー印刷用データを生成し出力する機能を持つ。
印刷用データ生成部１７により生成される印刷データは、専用線４を介して接続される出力センタ５に接続され、出力センタ５が持つ印刷サーバを介してオンデマンド印刷される。
【００１３】
なお、申込端末３を介してユーザから承認の回答が得られて確定したカレンダー画像及びその仕様は、画像／仕様確定ＤＢ１８に保持される。また、カレンダー画像生成部１４は、現在の申込者のイベント日付情報が既に個別仕様記憶部１５に記憶されている場合には、個別仕様記憶部１５からイベント日付情報を読み出して、このイベント日付情報に基づいてカレンダー画像を生成する機能も合わせ持つ。
【００１４】
図２は、図１に示す本発明実施形態の動作を説明するために引用したフローチャートである。
以下、図２に示すフローチャートを参照しながら図１に示す本発明実施形態の動作について詳細に説明する。
まず、ユーザは、申込端末３を操作することによりＩＰ網２を介して本発明のカレンダー作成サーバ装置のあるサイトにアクセスしてパーソナルカレンダー作成申込を行う。そして、カレンダー作成に必要な画像と、住所、氏名、年齢、性別、誕生日やその他記念日等から成るパーソナル情報を登録する。パーソナルカレンダー作成申込に関し通信インターフェース部１１を介して申込受け付けした（Ｓ２１）カレンダー作成サーバ装置１は、更に受信したパーソナル情報を図示せぬユーザＤＢに登録する（Ｓ２２）。
【００１５】
次に、ユーザは、申込端末３を操作することにより、先に登録された情報を元にパーソナルカレンダーの設計を行う。ここで、設計の際にユーザに提供され、使用されるＧＵＩ（Ｇｒａｐｈｉｃａｌ・Ｕｓｅｒ・Ｉｎｔｅｒｆａｃｅ）の概略仕様について簡単に説明すれば以下のようになる。
すなわち、画像は、フォルダー指定によるアップロードボタンをクリックすることによりオリジナル仕様の画像を登録できるものとし、その画像表示面積は、ドラックによる変更、ならびに数値による指定も可能とする。また、イベント日については、コンボボックスによる選択入力環境を提供し、それ以外にフリーテキスト入力も可能とする。更に、イベント詳細は、イベント日にリンクした詳細を記載できるテキストボックスが用意されるものとする。
【００１６】
一方、日付の色については、曜日毎に印字させたい色をオプションボタンで選択できるようになっており、また、日付の区切り方については、先頭曜日を指定し、改行により区切り日数を入力できる仕組みになっている。このことにより、例えば、火曜日を左端に６日間区切りで月曜日を表示しないといったことが可能になる。更に、フォントの種類についてはオンデマンドで出力可能な選択を実現し、紙質については厚紙や光沢有無を選択できる仕組みを提供している。上記したＧＵＩ仕様については図３に、受付項目毎、その内容を表形式で纏めてある。
ユーザは、上記ＧＵＩを使用してパーソナルカレンダーを設計した後、設計画面上に割り付けられるＰＤＦ作成ボタンをクリックすることにより、そのパーソナルカレンダー設計情報は、通信インターフェース部１１経由でカレンダー作成サーバ装置１に受け付けられる（Ｓ２３）。
【００１７】
画像データは画像データ受付部１３で受け付けられ、イベント日、イベント詳細、日付の色、日付の区切り方、フォントの種類、紙質、コメント入力、希望形態等の個別仕様は個別使用受付部１４で受け付けられ、これらパーソナルカレンダー設計情報は、標準カレンダー情報記憶部１２にあらかじめ記憶されている標準カレンダー情報と共に、カレンダー画像生成部１６に供給される。
カレンダー画像生成部１６は、受け付けられたバーソナルカレンダーのＰＤＦ（Ｐｅｒｓｏｎａｌ・Ｄｏｃｕｍｅｎｔ・Ｆｉｌｅ）画像を生成し、通信インターフェース部１１、ＩＰ網２経由で要求のあった申込端末３へ送信してユーザにＰＤＦ画像の確認を促がす（Ｓ２４）。
【００１８】
ユーザは、申込端末３を介して受信したＰＤＦ画像を確認してＯＫであれば申込端末３を操作して承認のための意思表示を行い、ＮＧであれば再度設計を行う。承認が得られた場合、カレンダー作成サーバ装置１は、更にカレンダーの製造仕様を申込端末３上に表示して承認を促がす（Ｓ２５、Ｓ２６）。
なお、ここで、カレンダーの「製造仕様」とは、カレンダーの頁数（１／４／６／１２枚もの）、サイズ、綴じ方、ならびにＰＤＦデータの組をいう。
ユーザがカレンダーの製造仕様を決定し承認した後、カレンダー作成サーバ装置１は、印刷用データ生成部１７でそのＰＤＦ画像と製造仕様を画像／仕様確定ＤＢ１８へ登録する他に、ポストスクリプトデータを生成し、専用線４を介して出力センタのサーバへ印刷を依頼する（Ｓ２７、Ｓ２８）。
【００１９】
出力センタ５では、確定した製造仕様から作業指示書を発行し、その後は作業指示書に従い通常のオンデマンド印刷で印刷を行い、パーソナルカレンダーを製造して要求のあったユーザへ発送する。
なお、ここで「作業指示書」とは、より細かい作業工程や材料等を含む指示書をいう。
【００２０】
以上説明のように本発明によれば、パーソナルカンレンダー設計の際にバリエーションを取り揃えるためのＧＵＩ環境を提供し、差し込む画像の大きさや枚数についても何ら制限を受けることはない。また、入力したいイベントも文字数の制限はあるものの、自由な入力が可能であり、課金は、差し込む画像の大きさや枚数、イベント情報の数から算出することとし、ユーザは、リアルタイムに料金の把握が可能である。勿論、パーソナルカレンダーのイメージは事前にＰＤＦ画像で用意に確認ができる。
このことにより、ユーザはイメージどおりにカレンダーを作成することができ、また、ウェブを仕様することで用意に発注に結び付けられる。また、オンデマンド印刷機で出力するため、小ロットと短納期による効果が見込める。
【００２１】
【発明の効果】
以上説明のように本発明によれば、カレンダー画像生成手段が、標準カレンダー情報記憶手段に記憶されたカレンダー情報、及び画像データ受付手段が受け付けた画像データ、ならびに個別仕様受付手段が受け付けたイベント日付情報に基づいてカレンダー画像を生成し、印刷用データ生成手段に、生成されたカレンダー画像に対応したカレンダー印刷用データを生成し出力することを指示するため、ユーザ毎の個別のイベント日付に応じてパーソナライズされたカレンダーを低コストで簡単に提供することができる。また、ユーザが入力したいイベント情報や画像を、ウェブを用いて自由に入力し、あるいはアップロードすることを制約なく実現できる。
【００２２】
また、本発明によれば、カレンダー画像生成手段が、現在の申込者のイベント日付情報が既に記憶されている場合には、個別仕様記憶手段からイベント日付情報を読み出し、このイベント日付情報に基づいてカレンダー画像を生成することにより、次の年に、再度イベント日付情報を入力し直さなくても前年と同じイベント日付情報を用いたカレンダーをより一層簡単に作成することができる。
【図面の簡単な説明】
【図１】本発明の一実施形態を示すブロック図である。
【図２】図１に示す本発明一実施形態の動作を説明するために引用したフローチャートである。
【図３】本発明により提供されるＧＵＩ環境を説明するために引用した票である。
【符号の説明】
１…カレンダー作成サーバ装置、２…ＩＰ網、３…申込端末、４…専用線、５…出力センタ、１１…通信インターフェース部、１２…標準カレンダー情報記憶部、１３…画像データ受付部、１４…個別仕様受付部、１５…個別仕様記憶部、１６…カレンダー画像生成部、１７…印刷用データ生成部、１８…画像／仕様確定ＤＢ
【図１】
2004062773.tif 000003
【図２】
2004062773.tif 000004
【図３】
2004062773.tif 000005